(57)【要約】【課題】ポストカード用のフレームにユーザの画像が合成され、かつ音声／動画データにアクセスするためのアクセス情報がプリントされたポストカードをネット注文する際に操作性がよく、特に予め用意された音声／動画データを使う注文操作と、ユーザ自身の音声／動画データを使う注文操作とでユーザが混乱しないようにする。【解決手段】予めサーバに用意された音声／動画データを使用するか、ユーザ自身がサーバに登録した音声／動画データを使用するかをユーザに選択させ（ステップＳ１２）、この選択結果に応じて予め用意された音声／動画データを使用する場合におけるフレーム選択、及びポストカードの編集工程（ステップＳ１４、Ｓ１６）、又はユーザ自身が登録した音声／動画データを使用する場合におけるフレーム選択、及びポストカードの編集工程（ステップＳ２４、Ｓ２６、Ｓ２８）に分岐させるようにしている。【選択図】      図４
2006127033.tif 000002
【特許請求の範囲】
【請求項１】
ユーザ端末機からネットワークを介してサービスサーバにアップロードされたプリント用画像と、サービスサーバに登録されている所定の音声／動画データにアクセスするためのアクセス情報とがプリントされたポストカードのプリント注文を受け付けるネットプリント注文受付方法であって、
サービスサーバが予め用意した第１のタイプの音声／動画データ及びユーザ自身がサービスサーバに登録した第２のタイプの音声／動画データのうちのいずれかを前記ユーザ端末機により選択させる工程と、
前記サービスサーバが用意した複数のポストカード用のフレームをユーザ端末機に表示させ、該ユーザ端末機上で所望のフレームを選択させる工程と、
前記第１のタイプの音声／動画データが選択され且つフレームが選択されると、前記選択されたフレームを含むポストカード編集用の第１の編集画面をユーザ端末機に表示させる工程と、
前記第１の編集画面を利用したユーザ端末機の操作に基づいて前記フレームに合成するユーザのプリント用画像のアップロード、ポストカードの差出人情報、及びあいさつ文の情報を受け付ける工程と、
前記第２のタイプの音声／動画データが選択され且つフレームが選択されると、前記選択されたフレームを含むポストカード編集用の第２の編集画面をユーザ端末機に表示させる工程と、
前記第２の編集画面を利用したユーザ端末機の操作に基づいて前記フレームに合成するユーザのプリント用画像のアップロード、ポストカードの差出人情報、あいさつ文の情報、及びユーザ自身の音声／動画データを受け付ける工程と、
前記第１の編集画面又は第２の編集画面を利用した編集内容によるポストカードのプリント枚数及び注文を受け付ける工程と、
を含むことを特徴とするネットプリント注文受付方法。
【請求項２】
前記第１のタイプの音声／動画データが選択された後に前記ユーザ端末機に表示される複数のポストカード用のフレームには、各フレームごとにそのフレーム専用の音声／動画データが予め対応付けられており、フレームが選択されると、同時に音声／動画データが選択されることを特徴とする請求項１に記載のネットプリント注文受付方法。
【請求項３】
複数のポストカード用のフレームには、各フレームごとにそのフレーム専用の音声／動画データを再生させるためのソフトボタンが設けられており、任意のソフトボタンがクリックされると、そのソフトボタンに対応する音声／動画データをユーザ端末機で再生させることを特徴とする請求項２に記載のネットプリント注文受付方法。
【請求項４】
前記第１のタイプの音声／動画データが選択され且つフレームが選択されると、前記サービスサーバが予め用意した音声／動画データの中から所望の音声／動画データを選択させる工程を含むことを特徴とする請求項１に記載のネットプリント注文受付方法。
【請求項５】
前記第２のタイプの音声／動画データが選択され且つフレームが選択されると、ユーザの音声データ及び動画データのうちのいずれかを前記ユーザ端末機により選択させる工程を含み、前記音声データ又は動画データの選択結果に基づいてユーザの音声データを登録させるための第１の操作部、又はユーザの動画データを登録させるための第２の操作部を前記第２の編集画面に排他的に表示させることを特徴とする請求項１に記載のネットプリント注文受付方法。
【請求項６】
前記ユーザの音声データを登録させるための第１の操作部には、電話で音声データを登録するか、音声ファイルで音声データを登録するかを選択するボタンが表示され、電話で音声データを登録するボタンが操作されると、電話で音声データを登録するための手順が記述されたサブウインドウを表示させることを特徴とする請求項５に記載のネットプリント注文受付方法。
【発明の詳細な説明】
【技術分野】
【０００１】
本発明はネットプリント注文受付方法に係り、特にユーザ端末機からネットワークを介してサービスサーバにアップロードされたプリント用画像と、サービスサーバに登録されている所定の音声／動画データにアクセスするためのアクセス情報とがプリントされたポストカードのプリント注文を受け付けるネットプリント注文受付方法に関する。
【背景技術】
【０００２】
従来、所望のポストカード用のフレームにユーザの画像を合成するとともに、差出人やあいさつ文などの文字をプリントしたポストカードの注文を受け付けるサーバが運用されている。また、特許文献１には、音声を符号化したバーコードを画像とともに印刷することにより、音声を楽しむことが可能なポストカードを作成するものが記載されている。更に、ポスター、吊り広告、タウン誌等の広告媒体に印刷されている二次元コード（例えば、ＱＲコード）を撮影し、その二次元コードを解読して情報を取得することができる携帯形通信端末（カメラ付き携帯電話）が提案されている（特許文献２）。
【０００３】
前記二次元コードには、広告対象の商品あるいはサービスの詳細情報が載せられているサイトのＵＲＬ（Uniform Resource Locators ）が含まれており、前記カメラ付き携帯電話は、二次元コードに含まれるＵＲＬにより前記サイトにアクセスできるようになっている。これにより、ユーザは所望の広告媒体に関連するサイトに簡単にアクセスすることができる。
【０００４】
また、本出願人は、ユーザ端末機からネットワークを介してアップロードされたプリント用画像を所定のフレームに合成するとともに、所定の音声データにアクセスするためのＱＲコードがプリントされた写真プリントのネット注文を受け付けるサービスを実施している。
【０００５】
このサービスを受ける場合、ユーザは、パーソナルコンピュータ（パソコン）により前記サービスを実施しているサービスサイトにアクセスし、グラフィック・ユーザ・インターフェース（ＧＵＩ：Graphical User Interface）を利用しながら所要の情報を順次入力することによってネットプリント注文ができるようになっている。
【０００６】
即ち、ユーザは、まずＧＵＩ画面上でユーザの画像を合成するためのフレームの選択を行う。各フレームには、そのフレームの絵柄にあった音声データが紐付けられており、フレームを選択することにより、同時に音声データも自動的に選択される。
【０００７】
フレームの選択が終了すると、そのフレームに合成するユーザの画像を選択し、サービスサーバにアップロードし、続いてプリント枚数等の情報を入力するようにしている。
【０００８】
一方、各フレームごとに用意されている音声データの代わりに、ユーザ自身で所望の音声データを登録する場合には、音声データの入力操作を含む音声データを変更するための操作を行うようにしている。
【特許文献１】特開２００２−１６７４６号公報
【特許文献２】特開２００２−１１８６８０号公報
【発明の開示】
【発明が解決しようとする課題】
【０００９】
ところで、上記のように所望のフレームにユーザの画像が合成され、さらに音声データにアクセスするためのＱＲコードがプリントされた写真プリントをネット注文する場合、初めにフレームを選択すると、その選択したフレーム専用の音声データが自動的に選択されるため、ユーザは、自分の好みの音声データを登録すること（音声データを変更すること）ができないものと勘違いしてしまうおそれがあった。
【００１０】
本発明はこのような事情に鑑みてなされたもので、所望のポストカード用のフレームにユーザの画像が合成され、かつ音声／動画データにアクセスするためのアクセス情報がプリントされたポストカードをネット注文する際に操作性がよく、特に予め用意された音声／動画データを使う注文操作と、ユーザ自身の音声／動画データを使う注文操作とでユーザが混乱しないようにすることができるネットプリント注文受付方法を提供することを目的とする。
【課題を解決するための手段】
【００１１】
前記目的を達成するために請求項１に係る発明は、ユーザ端末機からネットワークを介してサービスサーバにアップロードされたプリント用画像と、サービスサーバに登録されている所定の音声／動画データにアクセスするためのアクセス情報とがプリントされたポストカードのプリント注文を受け付けるネットプリント注文受付方法であって、前記サービスサーバが用意した第１のタイプの音声／動画データ及びユーザ自身がサービスサーバに登録した第２のタイプの音声／動画データのうちのいずれかを前記ユーザ端末機により選択させる工程と、前記サービスサーバが用意した複数のポストカード用のフレームをユーザ端末機に表示させ、該ユーザ端末機上で所望のフレームを選択させる工程と、前記第１のタイプの音声／動画データが選択され且つフレームが選択されると、前記選択されたフレームを含むポストカード編集用の第１の編集画面をユーザ端末機に表示させる工程と、前記第１の編集画面を利用したユーザ端末機の操作に基づいて前記フレームに合成するユーザのプリント用画像のアップロード、ポストカードの差出人情報、及びあいさつ文の情報を受け付ける工程と、前記第２のタイプの音声／動画データが選択され且つフレームが選択されると、前記選択されたフレームを含むポストカード編集用の第２の編集画面をユーザ端末機に表示させる工程と、前記第２の編集画面を利用したユーザ端末機の操作に基づいて前記フレームに合成するユーザのプリント用画像のアップロード、ポストカードの差出人情報、あいさつ文の情報、及びユーザ自身の音声／動画データを受け付ける工程と、前記第１の編集画面又は第２の編集画面を利用した編集内容によるポストカードのプリント枚数及び注文を受け付ける工程と、を含むことを特徴としている。
【００１２】
即ち、サービスサーバが用意した第１のタイプの音声／動画データを使用するか、ユーザ自身がサービスサーバに登録した第２のタイプの音声／動画データを使用するかをユーザに選択させる工程を設け、ここでの選択結果に対応した編集工程に分岐させることにより、ユーザが編集工程での操作を混乱しないようにしている。尚、音声／動画データのタイプを選択してからフレームを選択してもよいし、フレームを選択してから音声／動画データのタイプを選択してもよい。
【００１３】
前記第１のタイプの音声／動画データを使用することを選択した場合、その後、第１の編集画面を利用した編集が可能になるが、ここではユーザ自身の音声／動画データを登録する操作ができないようになっている。一方、前記第２のタイプの音声／動画データを使用することを選択した場合、その後、第２の編集画面を利用した編集が可能になり、ここではユーザ自身の音声／動画データを登録する操作が必須となる。尚、前記第１、第２の編集画面を利用した編集工程では、事前に選択したフレームに合成するユーザのプリント用画像のアップロード、ポストカードの差出人情報、及びあいさつ文の情報の編集が行われる。
【００１４】
請求項２に示すように請求項１に記載のネットプリント注文受付方法において、前記第１のタイプの音声／動画データが選択された後に前記ユーザ端末機に表示される複数のポストカード用のフレームには、各フレームごとにそのフレーム専用の音声／動画データが予め対応付けられており、フレームが選択されると、同時に音声／動画データが選択されることを特徴としている。即ち、サービスサーバが用意した第１のタイプの音声／動画データを使用することを選択した場合、フレームの選択が同時に音声／動画データの選択になる。
【００１５】
請求項３に示すように請求項２に記載のネットプリント注文受付方法において、複数のポストカード用のフレームには、各フレームごとにそのフレーム専用の音声／動画データを再生させるためのソフトボタンが設けられており、任意のソフトボタンがクリックされると、そのソフトボタンに対応する音声／動画データをユーザ端末機で再生させることを特徴としている。これにより、ユーザは、各フレームに対してどのような音声／動画データが用意されているかを確認することができる。
【００１６】
請求項４に示すように請求項１に記載のネットプリント注文受付方法において、前記第１のタイプの音声／動画データが選択され且つフレームが選択されると、前記サービスサーバが予め用意した音声／動画データの中から所望の音声／動画データを選択させる工程を含むことを特徴としている。即ち、サービスサーバが用意した第１のタイプの音声／動画データを使用することを選択した場合、フレームの選択に制限されずに、所望の音声／動画データを選択できるようにしている。
【００１７】
請求項５に示すように請求項１に記載のネットプリント注文受付方法において、前記第２のタイプの音声／動画データが選択され且つフレームが選択されると、ユーザの音声データ及び動画データのうちのいずれかを前記ユーザ端末機により選択させる工程を含み、前記音声データ又は動画データの選択結果に基づいてユーザの音声データを登録させるための第１の操作部、又はユーザの動画データを登録させるための第２の操作部を前記第２の編集画面に排他的に表示させることを特徴としている。これにより、音声データの入力操作と動画データの入力操作とを混乱せずに行うことができる。
【００１８】
請求項６に示すように請求項５に記載のネットプリント注文受付方法において、前記ユーザの音声データを登録させるための第１の操作部には、電話で音声データを登録するか、音声ファイルで音声データを登録するかを選択するボタンが表示され、電話で音声データを登録するボタンが操作されると、電話で音声データを登録するための手順が記述されたサブウインドウを表示させることを特徴としている。これにより、音声データを電話を使って簡単に登録することができる。
【発明の効果】
【００１９】
本発明によれば、所望のポストカード用のフレームにユーザの画像が合成され、かつ音声／動画データにアクセスするためのアクセス情報がプリントされたポストカードをネット注文する際に操作性がよく、特にサービスサーバが用意した音声／動画データを使用するか、ユーザ自身がサービスサーバに登録したタイプの音声／動画データを使用するかをユーザに選択させた後に、その選択に対応した編集工程に分岐させるようにしたため、予め用意された音声／動画データを使う注文操作と、ユーザ自身の音声／動画データを使う注文操作とでユーザが混乱しないようにすることができる。
【発明を実施するための最良の形態】
【００２０】
以下添付図面に従って本発明に係るネットプリント注文受付方法の好ましい実施の形態について詳説する。
【００２１】
図１は本発明に係るネットプリント注文受付方法を実現するネットプリント注文受付システムの概略を示すシステム構成図である。
【００２２】
このシステムは、主としてユーザ端末機としてのパソコン１、プリント注文受付サーバ２（以下、「サーバ」という）、及びプリンタ５がネットワーク９に接続されて構成されている。
【００２３】
パソコン１は、Ｗｅｂブラウザ１１を備えており、キーボードやマウスなどで構成される操作部１３から入力されたＵＲＬ（Uniform Resource Locator）で特定されるＷｅｂページの送信をサーバ２に要求し、受信したＷｅｂページを表示部１２に表示する。
【００２４】
サーバ２は、パソコン１からネットワーク９を介してポストカードの作成・注文を受け付けるものであり、主として制御部２０、Ｗｅｂ通信部２１、画面情報作成部２２、認証部２３、注文受付部２４、ＩＤ発行部２５、２次元コード作成部２６、プリント指示情報作成部２７、電話通信部３１、録音部３２、ファイル変換部３３、音声再生部３４、コンテンツＤＢ（データベース）４１、管理ＤＢ（データベース）４２、登録部４６及び検索部４７によって構成されている。
【００２５】
Ｗｅｂ通信部２１は、ネットワーク９を介して、そのネットワーク９に接続されたパソコン１、プリンタ５、及び携帯電話機６ａ、６ｂと通信するものである。
【００２６】
画面情報作成部２２は、パソコン１に表示させる各種の画面情報を作成する。尚、具体的な画面情報については、後述する。
【００２７】
認証部２３は、パソコン１から入力された一意的な識別情報（例えば、ユーザＩＤ及びパスワード）で各パソコン１のサーバ２への接続を認証する。
【００２８】
注文受付部２４は、パソコン１からポストカードの注文を受け付ける。具体的には、Ｗｅｂ通信部２１を介して、画面情報作成部２２によって作成された画面情報をパソコン１に送信するとともに、このパソコン１からＷｅｂ通信部２１を介してプリント注文の受け付けに必要な各種の情報の授受を行う。
【００２９】
ＩＤ発行部２５は、音声データや動画データ（コンテンツ）を識別するコンテンツＩＤを発行する。２次元コード作成部２６は、コンテンツＤＢ４１によって管理されるコンテンツに、携帯電話機６ａ、６ｂからネットワーク９を介してアクセスするのに必要な２次元コード（「２次元バーコード」とも呼ばれる）を作成する。この２次元コードには、コンテンツの取得に必要なプロトコルの識別情報（一般には「http」）と、サーバ２のドメイン名と、コンテンツＩＤとが符号化されて埋め込まれる。以下、説明を簡略にするため、２次元コードとしてＱＲコードを例に説明するが、マキシコード、データマトリクス、ＰＤＦ４１７等の２次元コードを用いてもよい。
【００３０】
プリント指示情報作成部２７は、プリンタ５に対してポストカード作成を指示する情報（プリント指示情報）を作成する。このプリント指示情報には、パソコン１からアップロードされたユーザの画像、ユーザの画像とともにポストカードに記録されるポストカード用のフレーム、ポストカードの差出人情報やあいさつ文のテキスト情報、及びＱＲコードが含まれる。
【００３１】
電話通信部３１は、携帯電話機６ａ、６ｂや固定電話機との間で通話機能を利用した通信を行うものである。この電話通信部３１には所定の電話番号が付与されている。録音部３２は、携帯電話機６ａ、６ｂや固定電話機から電話通信部３１の電話番号に着信した通話音声を録音する。ファイル変換部３３は、録音部３２が録音した音声データをパソコン１及び携帯電話６ａ、６ｂで再生可能なフォーマットの音声ファイル（wav ファイルなど）に変換する。変換された音声ファイルはコンテンツとしてコンテンツＤＢ４１に登録される。
【００３２】
音声再生部３４は、コンテンツＤＢ４１の音声ファイルから音声を再生し、電話通信部３１の電話番号に対して発信した携帯電話機６ａ、６ｂに音声を送信する。これらの電話通信部３１、録音部３２、ファイル変換部３３、及び、音声再生部３４は、ＣＴＩ（Computer Telephony Integration）サーバ３を構成する。また、このコンテンツＤＢ４１には、パソコン１から直接音声ファイルを登録できるようになっている。
【００３３】
コンテンツＤＢ４１は、音声ファイル、動画データが記録された動画ファイルなどのコンテンツの他に、テキストファイル、ポストカード用のフレームなどを記憶する。管理ＤＢ４２は、ポストカードの作成・注文情報を管理する。
【００３４】
登録部４６は、コンテンツをフレームと関連付けてコンテンツＤＢ４１に登録する。尚、各コンテンツにはＩＤ発行部２５が発行したコンテンツＩＤが付与されている。例えば、各コンテンツのファイル名の一部にコンテンツＩＤが含まれるようにする。検索部４７は、コンテンツＩＤに基づいてコンテンツＤＢ４１から所望のコンテンツを検索する。
【００３５】
制御部２０は、ＣＰＵ（Central Processing Unit ）で構成され、Ｗｅｂ通信部２１、画面情報作成部２２、認証部２３、注文受付部２４、ＩＤ発行部２５、２次元コード作成部２６、プリント指示情報作成部２７、電話通信部３１、録音部３２、ファイル変換部３３、音声再生部３４、コンテンツＤＢ４１、管理ＤＢ４２、登録部４６及び検索部４７といったサーバ２の各部を統括制御する。
【００３６】
尚、図１では、パソコン１は１つしか図示していないが、複数のパソコン１をサーバ２に接続する態様も可能である。即ち、サーバ２は認証部２３を備えており、パソコン１から入力されたユーザＩＤ及びパスワードで各パソコン１のサーバ２への接続を認証する。このため、複数のパソコン１が接続された場合も、その各々を識別することが可能である。
【００３７】
次に、上記構成のシステムを利用した本発明に係るネットプリント注文受付方法について説明する。
【００３８】
図２は本発明に係るネットプリント注文受付方法の第１の実施の形態を示す注文受付処理の流れを示すフローチャートであり、図３乃至図２４は注文受付処理にしたがって遷移するパソコン１のＧＵＩ画面を示す図である。
【００３９】
ユーザがポストカードのネット注文を行う場合、まず、パソコン１よりサーバ２が運営しているポストカードのプリントサービスサイトにアクセスし、「インターネットで注文」を選択する。
【００４０】
図２において、「インターネットで注文」を選択すると、パソコン１の画面には、図３に示すポストカードの種類を選択するための画面１００が表示される。ユーザは、この画面１００に表示された６種類のポストカードのサービスラインナップから所望のポストカードの種類を選択する（ステップＳ１０）。尚、本発明では、ポストカードにプリントされたＱＲコードをカメラ付き携帯電話で読み取り、そのＱＲコードに紐付けられた音声データ又は動画データを再生して楽しむことができるポストカード（以下、「音ぷりポストカード」という）のネット注文であるため、図３の右下の「このタイプにする」ボタン１０１をクリックしてポストカードの種類として「音ぷりポストカード」を選択する。
【００４１】
「音ぷりポストカード」が選択されると、パソコン１の画面は、図４に示す画面１０２に遷移する。この画面１０２上で、音ぷりポストカードの「音ぷりタイプ」の選択を行う（ステップＳ１２）。ここで、「音ぷりタイプ」としては、サーバ側で用意された音声や動画を使用するタイプ（以下、「第１の音ぷりタイプ」という）と、ユーザ自身が登録した音声や動画を使用するタイプ（以下、「第２の音ぷりタイプ」という）とがある。
【００４２】
図４の画面１０２において、「この方法にする→」ボタン１０３Ａをクリックし、予め用意された音声／動画を使用する第１の音ぷりタイプを選択すると、パソコン１の画面は、図５に示すポストカード用のフレームを選択する画面１０４に遷移する。
【００４３】
図５に示すように各フレームには、フレームごとにそのフレーム専用の音声データ又は動画データが予め対応付けられており、音声データが付属するフレームの下方には、音符のマーク１０６と再生ボタン１０８とが表示され、動画データが付属するフレームの下方には、ムービーカメラのマーク１１０と再生ボタン１０８とが表示されている。ユーザは、各フレームの下方に表示されている再生ボタン１０８をクリックすることにおり、音声又は動画をパソコン１上で再生させることができる。尚、各フレームの下方には、音声や動画の内容が分かるコメントを表示するようにしてもよい。
【００４４】
ユーザは、パソコン１の画面１０４上で、所望のフレームをクリックすることによりフレームを選択する（ステップＳ１４）。フレームが選択されると、パソコン１の画面は、図６に示すポストカード編集用の画面１１２に遷移する。
【００４５】
ポストカード編集用の画面１１２には、ステップＳ１４で選択したフレームが表示されるとともに、このフレームに合成するユーザの画像をサーバ２にアップロードするためのボタン（画像ファイルを選択するための「参照」ボタン１１４、選択した画像ファイルを送信するための「この画像を送信」ボタン１１６）、アップロードした画像の調整を行うためのボタン（画像の回転ボタン１１８、ズームボタン１２０、移動ボタン１２２）、差出人情報を編集する「編集」ボタン１２４、あいさつ文を編集する「編集」ボタン１２６、及びフレームに対応する音声／動画を再生させる「再生」ボタン１２８等が設けられている。
【００４６】
ユーザは、この画面１１２を見ながらパソコン１を操作し、画像の送信、差出人情報の編集、あいさつ文の編集を行う（ステップＳ１６）。
【００４７】
ここで、フレームに合成するユーザの画像をアップロードする場合には、「参照」ボタン１１４をクリックする。これにより、パソコン内の画像ファイルを選択するためのウインドウが表示され、このウインドウ上で所望の画像ファイルを選択する。画像ファイルが選択され、画像ファイルを開くと、サムネイル画像が表示部１１５に表示される。その後、「この画像を送信」ボタン１１６をクリックすると、前記選択された画像ファイルがサーバ２にアップロードされる。
【００４８】
図７は画像ファイルのアップロード中の画面を示す。アップロード中の画面１３０では、前記「参照」ボタン１１４、表示部１１５、及び「この画像を送信」ボタン１１６が消え、「しばらくお待ちください」という文字等が表示される。画像のアップロードが終了すると、図６に示した画面１１２に戻る。また、図６には図示されていないが、アップロードされた画像がフレームに合成されて表示される。そして、回転ボタン１１８、ズームボタン１２０、及び移動ボタン１２２を操作することにより、画像の調整を行うことができる。
【００４９】
一方、差出人情報を編集する場合には、「編集」ボタン１２４をクリックする。これにより、パソコン１の画面は、図８に示す差出人情報を編集するサブウインドウ１３２に遷移する。このサブウインドウ１３２では、ポストカードにプリントする差出人情報（郵便番号、住所、氏名、電話番号、Ｅメールアドレス）を入力することができ、また、使用する文字のフォントや文字色も適宜選択することができる。このようにして差出人情報を入力し、「ＯＫ」ボタン１３４をクリックすると、差出人情報が確定してサブウインドウ１３２が閉じる。また、差出人情報を編集すると、編集後の差出人情報がフレーム内に表示される。尚、差出人情報としては、ユーザ登録時の氏名や住所等が自動的に入力されるが、前記差出人情報の編集により、所望の差出人情報に修正又は変更することができる。
【００５０】
同様にして、あいさつ文を編集する場合には、「編集」ボタン１２６をクリックする。これにより、パソコン１の画面は、図９に示すあいさつ文を編集するサブウインドウ１３６に遷移する。このサブウインドウ１３６では、ポストカードにプリントするあいさつ文を入力することができる。あいさつ文を入力し、「ＯＫ」ボタン１３８をクリックすると、あいさつ文が確定してサブウインドウ１３６が閉じる。あいさつ文を編集すると、編集後のあいさつ文がフレーム内に表示される。
【００５１】
また、図６に示した画面１１２において、音声／動画の確認用の「再生」ボタン１２８をクリックすると、図１０に示すようにフレームに対応する音声又は動画を再生するプレーヤを示すサブウインドウ１４０が表示され、ここで音声又は動画が再生される。
【００５２】
一方、図６において、ポストカードの編集が終了した後、「次へ」ボタン１２９をクリックすると、パソコン１の画面は、図１１に示すポストカードの仕上がりイメージ確認用の画面１４２に遷移する。
【００５３】
仕上がりイメージ確認用の画面１４２には、実際のポストカードにプリントされるＱＲコード１４４、差出人情報確認用の「拡大表示」ボタン１４６、あいさつ文確認用の「拡大表示」ボタン１４８等が表示される。
【００５４】
上記画面１４２上で、フレームをクリックすると、図１２に示すサブウインドウ１５２がポップアップし、このサブウインドウ１５２に作成された音ぷりポストカードの仕上がりイメージが拡大表示される。尚、図１に示した携帯電話機６ａ、６ｂは、ＱＲコードを読み取ってそのＱＲコードに埋め込まれている情報を取り出すコードリーダ６１を備え、ＱＲコードを用いてネットワーク９を介してコンテンツにアクセスする機能を有しているが、この種の携帯電話によってでＱＲコード１４２を読み取ることにより、フレームに対応する音声／動画を携帯電話で再生させることができる。
【００５５】
また、差出人情報確認用の「拡大表示」ボタン１４６をクリックすると、図１３に示すサブウインドウ１５４がポップアップし、このサブウインドウ１５４に差出人情報が拡大表示される。同様に、あいさつ文確認用の「拡大表示」ボタン１４８をクリックすると、図１４に示すサブウインドウ１５６がポップアップし、このサブウインドウ１５６にあいさつ文が拡大表示される。
【００５６】
図１１に示したポストカードの仕上がりイメージ確認用の画面１４２において、「次へ」ボタン１５０をクリックすると、図示しない設定画面にて、音ぷりポストカードのプリント枚数、はがきの種類 (私製はがき、官製はがき) が設定され (図２のステップＳ１８) 、続いて、設定内容の確認・注文が行われる (ステップＳ２０）。
【００５７】
一方、図４の画面１０２において、「この方法にする→」ボタン１０３Ｂをクリックし、ユーザ自身が登録した音声や動画を使用する第２の音ぷりタイプを選択すると、パソコン１の画面は、図１５に示すポストカード用のフレームを選択する画面１６０に遷移する。この画面１６０は、第１の音ぷりタイプの選択後に表示される図５の画面１０４と比較すると、音声サンプルや動画サンプルを再生させるサンプルフレームが追加表示されている一方、選択可能な各フレームの下方には、音声／動画を再生させるためのボタン類が表示されていない点で異なる。
【００５８】
ユーザは、パソコン１の画面１６０上で、所望のフレームをクリックすることによりフレームを選択する（図２のステップＳ２２）。フレームが選択されると、パソコン１の画面は、図１６に示す音声又は動画を選択する画面１６２に遷移する。ユーザは、音声を登録するか動画を登録するかを、「ポストカード編集へ→」 ボタン１６４、又は「ポストカード編集へ→」 ボタン１６６をクリックすることにより選択する（ステップＳ２４）。
【００５９】
いま、「ポストカード編集へ→」 ボタン１６４をクリックし、音声を登録する場合を選択すると、パソコン１の画面は、図１７に示すポストカード編集用の画面１６８に遷移する。
【００６０】
ユーザは、この画面１６８を見ながらパソコン１を操作し、画像の送信、差出人情報の編集、あいさつ文の編集、音声データの登録を行う（ステップＳ２６）。
【００６１】
尚、ポストカード編集用の画面１６８は、図６に示したポストカード編集用の画面１１２とほぼ同様な表示部やボタン類が設けられているが、ユーザが自分の音声データを登録するための「電話で登録」 ボタン１７０、「 音声ファイル送信」 ボタン１７２が設けられている点で相違する。従って、以下では、音声データの登録操作について説明し、その他の編集操作の説明は省略する。
【００６２】
ポストカード編集用の画面１６８において、「電話で登録」 ボタン１７０をクリックすると、図１８に示すサブウインドウ１７４がポップアップする。このサブウインドウ１７４には、電話で音声データを登録するための手順が記載されており、ユーザはその記載にしたがって電話を操作して音声を入れることにより、ユーザ固有の音声データをサーバ２に登録することができる。尚、電話のテンキー等で入力する音声コードは、現在編集中の音ぷりポストカードと、音声データとを紐付けるための情報として使用される。
【００６３】
図１９は音声データの登録中の画面を示す。音声データの登録中の画面１７６では、図１７に示した画面１６８内の「電話で登録」 ボタン１７０、「音声ファイル送信」 ボタン１７２が消え、「しばらくお待ちください」という文字等が表示される。音声データの登録が終了すると、図１８に示したサブウインドウ１７４が自動的に閉じ、図２０に示すポストカード編集用の画面１７８に遷移する。
【００６４】
このポストカード編集用の画面１７８は、図１７に示したポストカード編集用の画面１６８とほぼ同じであるが、「音声が登録されました」という文字と、「再生」 ボタン１８０が追加される点で相違する。この「再生」 ボタン１８０をクリックすると、パソコン１により電話で登録した音声を再生させることができる。
【００６５】
一方、図１７に示したポストカード編集用の画面１６８において、「音声ファイル送信」 ボタン１７２をクリックすると、パソコン１の画面は、図２１に示すポストカード編集用の画面１８２に遷移する。このポストカード編集用の画面１８２は、図１７に示したポストカード編集用の画面１６８とほぼ同じであるが、「電話で登録」 ボタン１７０、「 音声ファイル送信」 ボタン１７２が消え、新たに音声ファイルを登録するための「参照」 ボタン１８４及び「この音声ファイルを送信」ボタン１８６が追加される点で相違する。
【００６６】
ここで、音声ファイルを登録する場合には、「参照」ボタン１８４をクリックする。これにより、パソコン内の音声ファイルを選択するためのウインドウが表示され、このウインドウ上で所望の音声ファイルを選択する。音声ファイルを選択した後、「この音声ファイルを送信」 ボタン１８６をクリックすると、選択された音声ファイルがサーバ２にアップロードされる。
【００６７】
一方、図１６の画面１６２において、「ポストカード編集へ→」 ボタン１６６をクリックし、動画を登録する場合を選択すると、パソコン１の画面は、図２２に示すポストカード編集用の画面１９０に遷移する。
【００６８】
ユーザは、この画面１９０を見ながらパソコン１を操作し、画像の送信、差出人情報の編集、あいさつ文の編集、動画データの登録を行う（図２のステップＳ２８）。
【００６９】
尚、ポストカード編集用の画面１９０は、図６に示したポストカード編集用の画面１１２とほぼ同様な表示部やボタン類が設けられているが、ユーザが自分の動画データを登録するための「参照」 ボタン１９２、「この動画ファイルを送信」 ボタン１９４が設けられている点で相違する。従って、以下では、動画データの登録操作について説明し、その他の編集操作の説明は省略する。
【００７０】
ポストカード編集用の画面１９０において、動画ファイルを登録する場合には、「参照」ボタン１９２をクリックする。これにより、パソコン内の動画ファイルを選択するためのウインドウが表示され、このウインドウ上で所望の動画ファイルを選択する。動画ファイルを選択した後、「この動画ファイルを送信」 ボタン１９４をクリックすると、選択された動画ファイルがサーバ２にアップロードされる。
【００７１】
図２３は画像ファイルの登録中の画面を示す。動画ファイルの登録中の画面１９６では、前記「参照」ボタン１９２、及び「この動画ファイルを送信」ボタン１９４が消え、「しばらくお待ちください」という文字等が表示される。動画ファイルの登録が終了すると、図２４に示する画面１９８に遷移する。この画面１９８には、「動画が登録されました」という文字、「再生」ボタン２００、及び「変更する」ボタン２０２が表示される。この「再生」ボタン２００をクリックすることにより、パソコン上で動画を再生させることができ、また、「変更する」ボタン２０２をクリックすることにより、登録した動画を変更することができる。
【００７２】
図２５は本発明に係るネットプリント注文受付方法の第２の実施の形態を示す注文受付処理の流れを示すフローチャートである。尚、図２と共通するステップには同一の符号を付し、その詳細な説明は省略する。
【００７３】
図２に示した第１の実施の形態では、ポストカードのサービスラインナップから音ぷりポストカードが選択されると（ステップＳ１０）、続いて音ぷりポストカードの「音ぷりタイプ」を選択し（ステップＳ１２）、その後、フレームを選択するようにしている（ステップＳ１４、又はＳ２２）が、図２５に示す第２の実施の形態は、最初にフレームを選択し（ステップＳ５０）、その後、音ぷりポストカードの「音ぷりタイプ」を選択する（ステップＳ５２）点で相違する。
【００７４】
即ち、図２５において、ポストカードのサービスラインナップから音ぷりポストカードが選択されると（ステップＳ１０）、パソコン１の画面は、図１５に示したポストカード用のフレームを選択する画面１６０に遷移する。ユーザは、パソコン１の画面１６０上で、所望のフレームをクリックすることによりフレームを選択する（ステップＳ５０）。このフレームを選択した時点では、その選択したフレームに対応する音声／動画データは、選択又は登録されていない。
【００７５】
フレームが選択されると、パソコン１の画面は、図４に示した画面１０２に遷移し、ユーザは、この画面１０２上で音ぷりポストカードの「音ぷりタイプ」の選択を行う（ステップＳ５２）。
【００７６】
図４の画面１０２において、予め用意された音声／動画を使用する第１の音ぷりタイプを選択すると、パソコン１の画面は、予め用意された複数の音声や動画を選択するための文字やアイコンの一覧を表示する（図示せず）。ユーザは、複数の音声や動画を選択するための文字やアイコンの一覧から所望の音声又は動画を選択する（ステップＳ５４）。尚、ステップＳ５０で選択したフレームに応じて推奨する音声又は動画を、他の音声又は動画と区別して表示すると、フレームに適した音声又は動画の選択が簡単になる。
【００７７】
このようにしてフレームと音声／動画が選択されると、パソコン１の画面は、図６に示すポストカード編集用の画面１１２に遷移する（ステップＳ１６）。尚、この第２の実施の形態では、ステップＳ１６での音ぷりポストカードの編集前に、予め用意された音声や動画を選択するようにしているが、これに限らず、ステップＳ１６での音ぷりポストカードの編集処理の一部として、予め用意された音声や動画を選択する工程を組み込んでも良い。
【００７８】
一方、図４の画面１０２において、ユーザ自身が登録した音声や動画を使用する第２の音ぷりタイプを選択すると、パソコン１の画面は、図１６に示した音声又は動画を選択する画面１６２に遷移する。ユーザは、この画面１６２上で音声を登録するか動画を登録するかを選択する（ステップＳ２４）。そして、ステップＳ２４での選択結果に応じてパソコン１の画面は、図１７に示すポストカード編集用の画面１６８、又は図２２に示すポストカード編集用の画面１９０に遷移し、ここで音ぷりポストカードの編集が行われる（ステップＳ２６、Ｓ２８）。
【図面の簡単な説明】
【００７９】
【図１】図１は本発明に係るネットプリント注文受付方法を実現するネットプリント注文受付システムの概略を示すシステム構成図である。
【図２】図２は本発明に係るネットプリント注文受付方法の第１の実施の形態を示す注文受付処理の流れを示すフローチャートである。
【図３】図３はポストカードのサービスラインナップから所望のポストカードの種類を選択するための画面を示す図である。
【図４】図４は音ぷりポストカードの「音ぷりタイプ」の選択を行うための画面を示す図である。
【図５】図５はポストカード用のフレームの選択を行うための画面を一例を示す図である。
【図６】図６はポストカード編集用の画面の一例を示す図である。
【図７】図７はポストカード編集用の画面であって、画像のアップロード中の画面を示す図である。
【図８】図８は差出人情報を編集するためのサブウインドウを示す図である。
【図９】図９はあいさつ文を編集するためのサブウインドウを示す図である。
【図１０】図１０は動画の確認中に表示されるサブウインドウを示す図である。
【図１１】図１１は音ぷりポストカードの仕上がりイメージ確認用の画面を示す図である。
【図１２】図１２は音ぷりポストカードの拡大されたサブウインドウを示す図である。
【図１３】図１３は差出人情報の拡大されたサブウインドウを示す図である。
【図１４】図１４はあいさつ文の拡大されたサブウインドウを示す図である。
【図１５】図１５はポストカード用のフレームの選択を行うための画面を他の例を示す図である。
【図１６】図１６は音声を登録するか動画を登録するかを選択するための画面を示す図である。
【図１７】図１７はポストカード編集用の画面の他の例を示す図である。
【図１８】図１８は電話で音声を登録するためのサブウインドウを示す図である。
【図１９】図１９はポストカード編集用の画面であって、電話による音声登録中の画面を示す図である。
【図２０】図１９はポストカード編集用の画面であって、電話による音声登録後の画面を示す図である。
【図２１】図２１はポストカード編集用の画面であって、音声ファイルの登録前の画面を示す図である。
【図２２】図２２はポストカード編集用の画面であって、動画ファイルの登録前の画面を示す図である。
【図２３】図２３はポストカード編集用の画面であって、動画ファイルの登録中の画面を示す図である。
【図２４】図２４はポストカード編集用の画面であって、動画ファイルの登録後の画面を示す図である。
【図２５】図２は本発明に係るネットプリント注文受付方法の第２の実施の形態を示す注文受付処理の流れを示すフローチャートである。
【符号の説明】
【００８０】
１…パソコン（ユーザ端末機）、２…プリント注文受付サーバ、３…ＣＴＩサーバ、５…プリンタ、６ａ、６ｂ…携帯電話機（２次元コード読取装置）、７…基地局、９…ネットワーク、２１…Ｗｅｂ通信部、２２…画面情報作成部、２３…認証部、２４…注文受付部、２５…ＩＤ発行部、２６…２次元コード作成部、２７…プリント指示情報作成部、３１…電話通信部、３２…録音部、３３…ファイル変換部、３４…音声再生部、４１…コンテンツデータベース、１００、１０２、１０４、１１２、１３０、１３２，１３６，１４２、１６０、１６２、１６８、１７６、１７８、１８２、１９０、１９６、１９８…ＧＵＩの画面、１３２、１３６、１４０、１５２、１５４、１５６、１７４…サブウインドウ
【図１】
2006127033.tif 000003
【図２】
2006127033.tif 000004
【図３】
2006127033.tif 000005
【図４】
2006127033.tif 000006
【図５】
2006127033.tif 000007
【図６】
2006127033.tif 000008
【図７】
2006127033.tif 000009
【図８】
2006127033.tif 000010
【図９】
2006127033.tif 000011
【図１０】
2006127033.tif 000012
【図１１】
2006127033.tif 000013
【図１２】
2006127033.tif 000014
【図１３】
2006127033.tif 000015
【図１４】
2006127033.tif 000016
【図１５】
2006127033.tif 000017
【図１６】
2006127033.tif 000018
【図１７】
2006127033.tif 000019
【図１８】
2006127033.tif 000020
【図１９】
2006127033.tif 000021
【図２０】
2006127033.tif 000022
【図２１】
2006127033.tif 000023
【図２２】
2006127033.tif 000024
【図２３】
2006127033.tif 000025
【図２４】
2006127033.tif 000026
【図２５】
2006127033.tif 000027